(57)【要約】      （修正有）【課題】活動量計のデータを加工した加工データを出力することができる画像形成装置、プログラム及び活動量計システムを提供する。【解決手段】画像形成装置１０は、活動量計１２に記憶されているデータを読み取る読取手段２８と、記録媒体に画像を形成する画像形成部２０と、機能の使用指示を選択して受け付ける選択肢を表示する表示手段２４と、前記活動量計のデータを送信する送信手段と、を有し、前記表示手段２４の表示には、前記活動量計１２のデータを加工した加工データを出力させるための出力選択肢が含まれている。【選択図】図１
2017185797.tif 000002
【特許請求の範囲】
【請求項１】
活動量計に記憶されているデータを読み取る読取手段と、
記録媒体に画像を形成する画像形成部と、
機能の使用指示を選択して受け付ける選択肢を表示する表示手段と、
前記活動量計のデータを送信する送信手段と、を有し、
前記表示手段の表示には、前記活動量計のデータを加工した加工データを出力させるための出力選択肢が含まれている
画像形成装置。
【請求項２】
前記出力選択肢は、前記活動量計のデータを加工した加工データを前記画像形成部で印刷することを選択する請求項１記載の画像形成装置。
【請求項３】
前記表示手段は、前記送信手段により前記活動量計のデータを送信している間も含めて使用指示を受け付ける請求項１又は２記載の画像形成装置。
【請求項４】
前記活動量計に記憶されているデータにはログインするための認証用データが含まれ、該認証用データにより認証された場合に前記出力選択肢が表示される請求項１乃至３いずれか記載の画像形成装置。
【請求項５】
前記活動量計のデータはサーバにより加工され、前記活動量計に記憶されているデータには前記サーバへの認証用データが含まれ、この認証用データによりサーバへの認証が行われた場合に、前記出力選択肢が表示される請求項1乃至４いずれか記載の画像形成装置。
【請求項６】
活動量計に記憶されているデータを読み取る読取ステップと、
記録媒体に画像を形成する画像形成ステップと、
機能の使用指示を選択して受け付ける複数の選択肢を表示する表示ステップと、
前記活動量計のデータを送信する送信ステップと、を有し、
前記表示ステップでの表示には、前記活動量計のデータを加工した加工データを出力させるための出力選択肢が含まれている
コンピュータに実行させるためのプログラム。
【請求項７】
請求項１から請求項５のいずれか１項記載の画像形成装置と、
前記画像形成装置から受信する前記活動量計のデータを蓄積するサーバと、
を少なくとも備える活動量計システム。
【発明の詳細な説明】
【技術分野】
【０００１】
本発明は、画像形成装置及、プログラム及び活動量計システムに関する。
【背景技術】
【０００２】
特許文献１には、ユーザの体動に係る活動量を示す活動量情報を生成して外部機器へ送信する活動量計であって、前記ユーザの体動を示す体動情報を生成する体動情報生成部と、前記体動情報に基づいて、単位時間当たりの前記ユーザの活動量である単位活動量を、前記単位時間毎に算出する算出部と、前記単位時間毎に、前記単位活動量の大きさに応じたデータ量で、前記活動量情報を生成する活動量情報生成部と、前記活動量情報を前記外部機器へ送信する送信部と、を備えることを特徴とする活動量計が開示されている。
【先行技術文献】
【特許文献】
【０００３】
【特許文献１】特開２０１４−２２３１７０号公報
【発明の概要】
【発明が解決しようとする課題】
【０００４】
本発明は、活動量計のデータを加工した加工データを出力することができる画像形成装置及びプログラムを提供することを目的としている。
【課題を解決するための手段】
【０００５】
請求項１に係る本発明は、活動量計に記憶されているデータを読み取る読取手段と、記録媒体に画像を形成する画像形成部と、機能の使用指示を選択して受け付ける選択肢を表示する表示手段と、前記活動量計のデータを送信する送信手段と、を有し、前記表示手段の表示には、前記活動量計のデータを加工した加工データを出力させるための出力選択肢が含まれている画像形成装置である。
【０００６】
請求項２に係る本発明は、前記出力選択肢は、前記活動量計のデータを加工した加工データを前記画像形成部で印刷することを選択する請求項１記載の画像形成装置である。
【０００７】
請求項３に係る本発明は、前記表示手段は、前記送信手段により前記活動量計のデータを送信している間も含めて使用指示を受け付ける請求項１又は２記載の画像形成装置である。
【０００８】
請求項４に係る本発明は、前記活動量計に記憶されているデータにはログインするための認証用データが含まれ、該認証用データにより認証された場合に前記出力選択肢が表示される請求項１乃至３いずれか記載の画像形成装置である。
【０００９】
請求項５に係る本発明は、前記活動量計のデータはサーバにより加工され、前記活動量計に記憶されているデータには前記サーバへの認証用データが含まれ、この認証用データによりサーバへの認証が行われた場合に、前記出力選択肢が表示される請求項1乃至４いずれか記載の画像形成装置である。
【００１０】
請求項６に係る本発明は、活動量計に記憶されているデータを読み取る読取ステップと、記録媒体に画像を形成する画像形成ステップと、機能の使用指示を選択して受け付ける複数の選択肢を表示する表示ステップと、前記活動量計のデータを送信する送信ステップと、を有し、前記表示ステップでの表示には、前記活動量計のデータを加工した加工データを出力させるための出力選択肢が含まれているコンピュータに実行させるためのプログラムである。
【００１１】
請求項７に係る本発明は、請求項１から請求項５のいずれか１項記載の画像形成装置と、前記画像形成装置から受信する前記活動量計のデータを蓄積するサーバと、を少なくとも備える活動量計システムである。
【発明の効果】
【００１２】
請求項１に係る本発明によれば、活動量計のデータを加工した加工データを出力することができる画像形成装置を提供することができる。
【００１３】
請求項２に係る本発明によれば、請求項１に係る本発明の効果に加えて、加工データを画像形成部で印刷することができる。
【００１４】
請求項３に係る本発明によれば、請求項１又は２に係る本発明の効果に加えて、活動量計のデータの送信している間も使用指示を受け付けることができる。
【００１５】
請求項４に係る本発明によれば、請求項１乃至３いずれかに係る本発明の効果に加えて、活動量計によりログインして加工データを出力することができる。
【００１６】
請求項５に係る本発明によれば、請求項１乃至４いずれかに係る本発明の効果に加えて、活動量計によりサーバへの認証を行うことができる。
【００１７】
請求項６に係る本発明によれば、活動量計のデータを加工した加工データを出力することができるプログラムを提供することができる。
【００１８】
請求項７に係る本発明によれば、活動量計のデータを加工した加工データを出力することができる画像形成装置を含む活動量計システムを提供することができる。
【図面の簡単な説明】
【００１９】
【図１】本発明の実施形態に係る活動量計システムの構成を示すシステム図である。
【図２】本発明の実施形態に係る画像形成装置の制御装置を示すブロック図である。
【図３】本発明の実施形態に用いられた活動量計を示すブロック図である。
【図４】本発明の実施形態における画像形成装置の制御装置の動作フローにあって、活動量計をカードリーダにかざした場合のフローチャートである。
【図５】本発明の実施形態において、アイドル状態におけるユーザインターフェイスの画面を示す画面図である。
【図６】本発明の実施形態において、第２のサーバへの認証が成功したと判定された場合のユーザインターフェイスの画面を示す画面図である。
【図７】本発明の実施形態において、アップロード処理の詳細を示すフローチャートである。
【図８】本発明の実施形態において、アップロード送信中の場合のユーザインターフェイスの画面を示す画面図である。
【図９】本発明の実施形態において、アップロード送信が終了した場合のユーザインターフェイスの画面を示す画面図である。
【図１０】本発明の実施形態において、画像形成装置の制御装置の動作フローにあって、ＩＣカードをカードリーダにかざした場合のフローチャートである。
【図１１】本発明の実施形態において、認証が成功した場合のユーザインターフェイスの画面を示す画面図である。
【図１２】本発明の実施形態において、画像形成装置の制御装置の動作フローにあって、活動量計又はＩＣカードをカードリーダにかざした場合のフローチャートである。
【図１３】本発明の実施形態において、画像形成装置にログインした後プリントまでの動作フローを示す第１例のフローチャートである。
【図１４】本発明の実施形態において、「歩数データ送信」のアイコンを押下するした場合のユーザインターフェイスの画面を示す画面図である。
【図１５】本発明の実施形態において、「からだ診断録のサイト」ボタンを押下すした場合のユーザインターフェイスの画面を示す画面図である。
【図１６】本発明の実施形態において、画像形成装置にログインした後プリントまでの動作フローを示す第２例のフローチャートである。
【図１７】本発明の実施形態において、「からだ診断録」アイコンを押下した場合のユーザインターフェイスの画面を示す画面図である。
【発明を実施するための形態】
【００２０】
次に、本発明の実施の形態について図面を参照して詳細に説明する。
【００２１】
図１は、本発明の実施形態に係る活動量計システムの構成を示すシステム図である。
【００２２】
本発明の実施形態に係る活動量計システムは、画像形成装置１０、活動量計１２、第１のサーバ１４及び第２のサーバ１６を有する。
【００２３】
画像形成装置１０は、複数のサイズの記録媒体（用紙）が収容される記録媒体収容部１８を有する。また、画像形成装置１０は画像形成部２０を有し、記録媒体収容部１８から搬送された記録媒体に画像を形成する。この画像形成部２０により画像が形成された記録媒体は、記録媒体排出部２２に排出される。
【００２４】
また、画像形成装置１０の上部には、ユーザインターフェイス２４が設けられている。このユーザインタフェイス２４は表示手段を構成し、例えばタッチパネル方式のもので、画像形成装置１０が有する機能を選択肢（アイコン）として表示し、使用者が選択肢を触ると、触った選択肢が使用者の機能指示として受け付けられる。さらにユーザインターフェイス２４の上方には、自動原稿送り装置２６が設けられている。この自動原稿送り装置２６は、原稿を１枚ずつ送り、原稿画像を読み取るようになっている。
【００２５】
読取手段であるカードリーダ２８は、例えば画像形成装置１０の上部側方に設けられている。このカードリーダ２８は、例えばＮＦＣ（Near Field Communication)方式である。このカードリーダ２８は、後述する活動量計１２又は社員証等のＩＣカード３０をかざすことにより活動量計１２又はＩＣカード３０に記憶されているデータを読み取るようになっている。
【００２６】
なお、画像形成装置１０は、画像を形成する機能のみならず、例えばファクシミリ機能、スキャン機能、データ保存機能、データ送信機能等、多数の機能を持っている、いわゆる複合機である。
一般にオフィス等では、複合機は既にあるもので、かつ電源を使用する度に入れるのではなく１日中入れてあるケースが多い。また、一般に複合機は、ネットワーク等にアクセスする際も、どの複合機から情報が送信されたかが分かるようになっている。
【００２７】
第１のサーバ１４は、例えばアクティブディレクトリとして構成され、例えばローカルエリアネットワーク（ＬＡＮ）３２により接続されている。この第１のサーバ１４は、カードリーダ２８で読み取れたデータから画像形成装置１０の登録された使用者であるかの認証を行う。
【００２８】
第２のサーバ１６は、データベースを構成し、例えばインターネット３４を介して接続されたクラウドとして機能する。この第２のサーバ１６は、カードリーダ２８により読み取られた活動量計１２の登録された使用者であるかの認証を行う。
【００２９】
図２は、画像形成装置１０の制御装置３６を示すブロック図である。
【００３０】
制御装置３６は、ＣＰＵ３８、ＵＩ制御部４０、通信制御部４２、記憶部４４、データ読取制御部４６及び画像形成制御部４８を有し、これらが制御バス５０を介して接続されている。
【００３１】
ＣＰＵ３８は、記憶部４４に格納された制御プログラムに基づいて予め定められた処理を実行する。ＵＩ制御部４０は、前述したユーザインターフェイス２４に接続され、ユーザインターフェイス２４の表示制御及びユーザインターフェイス２４からのデータの受付制御を行う。通信制御部４２は、前述した第１のサーバ１４及び第２のサーバ１６との間の通信を制御する。データ読取制御部４６は、前述したカードリーダ２８に接続され、カードリーダ２８からのデータの受付制御を行う。画像形成制御部４８は、前述した画像形成部２０で画像が形成されるようにするために、受け付けられた画像を処理し、且つ画像形成装置１０の駆動を制御する。
【００３２】
図３は、活動量計１２を示すブロック図である。
活動量計１２は、記憶部５２、通信インターフェース５４、計時部５６、表示部５８加速度センサ６０、操作部６２及びＣＰＵ６４を備え、これらが制御バス６５を介して接続されている。
【００３３】
表示部５８は、例えばＬＣＤ(Liquid Crystal Display)等から成り、ＣＰＵ６４から出力された種々の情報（例えば各種設定事項に係る情報、操作案内に係る情報、消費エネルギーに係る情報、体動に係る情報等）の表示を行う。
なお、活動量計１２の表示部５８は、画像形成装置１０のユーザインターフェイス２４と比較すると、表示領域が小さく、表示できる情報量も少ない。
操作部６２は、ユーザによる各種操作（例えば情報入力操作や設定操作等）の為の部材である。
【００３４】
記憶部５２は、不揮発性記憶媒体であり、ＣＰＵ６４によって読み出されて実行される種々のプログラムが記憶されている。また、記憶部５２には、ユーザの活動量を示す活動量データテーブル６６が記憶されている。また、記憶部５２には、画像形成装置１０に対するアクセスを認証するためのＩＤであるＩＤｍ（第１の認証用データ）が記憶されている。さらに、活動量計１２を画像形成装置１０のカードリーダ２８にかざすときに、ＣＰＵ６４が所定のコマンドを実行することによって、ＩＤｍから、第２のサーバ１６へのアクセスを認証するためのＩＤであるシリアルＩＤ（第２の認証用データ）に変換する。ここで、第１の認証用データはＩＤｍに限定されるものではなく、第２の認証用データはシリアルＩＤに限定されるものではない。また、第２の認証用データは第１の認証用データから変換されるものに限定されず、例えば、記憶部５２が第１の認証用データ及び第２の認証用データの２種類の認証用データを記憶していてもよい。
【００３５】
通信インターフェース５４は、外部入力を受け付けるインターフェースである。具体的には、電磁波を用いて非接触で通信を行う為のＩＣ(integrated circuit)カードインターフェースである。計時部５６は、日時情報を生成して出力する。
【００３６】
加速度センサ６０は、当該活動量計１２に生じた加速度を検出し、ユーザの体動情報たる加速度データを生成する。この加速度データは、当該活動量計１２のユーザの体動を定量的に表す体動情報である。すなわち、加速度センサ６０は、ユーザの体動を示す体動情報を生成する体動情報生成部として機能する。
【００３７】
ここで、活動量計１２は、上述したような、ユーザーの活動量を測定する目的に特化した専用の装置に限定されない。すなわち、活動量計１２は、スマートフォン等の他の目的を達成するために用いられる装置において、ユーザーの活動量を測定する一機能によって実現されてもよい。一例として、記憶部５２、通信インターフェース５４、計時部５６、表示部５８、加速度センサ６０、操作部６２及びＣＰＵ６４を少なくとも備え、記憶部５２に記憶されるアプリケーションプログラムが実行されることによって、ユーザーの活動量を測定及び記憶可能なスマートフォンが、活動量計１２に含まれてもよい。なお、活動量計１２によって測定されるユーザーの活動量は、歩数、消費エネルギー量、及び、運動量等のうち少なくとも１つが含まれていればよい。
【００３８】
図４は、画像形成装置１０の制御装置３６の動作フローにあって、活動量計１２をカードリーダ２８にかざした場合のフローチャートである。
【００３９】
活動量計１２をカードリーダ２８にかざす前は、ユーザインターフェイス２４には、図５に示すアイドル状態の画面が表示される。即ち、例えば「「認証が必要です。ＩＣカード又は活動量計をＩＣカードリーダに置いてください。活動量計をＩＣカードリーダに置いている間活動量計のデータを送信します。」との表示がなされる。
【００４０】
ここで、ステップＳ１０において、活動量計１２をカードリーダ２８にかざすと、次にステップＳ１２において、活動量計１２の記憶部５２に記憶されているＩＤｍを取得する。
【００４１】
次のステップＳ１４においては、取得したＩＤｍで認証チェックを行う。次のステップＳ１６においては、認証が成功したか否かを判定する。即ち、第１のサーバ１４に記憶されているデータとＩＤｍとが一致すれば認証成功、一致していなければ不成功となる。ステップＳ１６において、認証が成功したと判定された場合は、ステップＳ１８に進み、画像形成装置１０にログインする。ログインすることによって、複合機のメニュー画面を表示させ、実行させることが可能となる。ステップＳ１６において、認証が不成功と判定された場合は処理を終了する。
なお、ＩＤｍによる認証は、画像形成装置１０の記憶部４４にデータを記憶させ、このデータとＩＤｍが一致するか否かにより判定することもできる。
【００４２】
ステップＳ１２の処理が終了すると、ステップＳ１４へ進むのと並行して、ステップＳ２０に進み、活動量計１２のＣＰＵ６４がＩＤｍから変換したシリアルＩＤを取得する。次のステップＳ２２においては、第２のサーバ１６への認証が成功したか否かを判定する。即ち、画像形成装置１０の通信制御部４２からインターネット３４を介してシリアルＩＤが送信され、第２のサーバ１６においては、送信されたシリアルＩＤが第２のサーバ１６に記憶されているデータと一致するか否かを判定し、判定結果を画像形成装置１０に返し、シリアルＩＤが第２のサーバ１６のデータと一致したとの信号を受信した場合には、認証成功と判定し、一致しなかったとの信号を受信した場合には認証不成功と判定する。
【００４３】
ステップＳ２２において、第２のサーバ１６への認証が成功したと判定された場合は、次のステップＳ２４に進み、後述するアップロード処理を実施し、第２のサーバ１６への認証が不成功と判定された場合は、処理を終了する。
【００４４】
以上のように、活動量計１２がカードリーダ２８にかざされると、画像形成装置１０への認証を行うためのステップＳ１４〜Ｓ１８と、第２のサーバ１６への認証を行うためのステップＳ２０〜Ｓ２４の処理が並列して実行される。また、ステップＳ２２において第２のサーバ１６への認証が成功した場合には、アップロードの指示を特にしなくても、自動的に後述のアップロード処理が実行されるようになる。このようにアップロード指や専用のアプリケーションの起動指示や省略する事で、ユーザが指示する手間が省けるだけなく、それに時間に相当する時間の間で、例えばプリントアウトやコピーといった別の機能の指示を行うことが可能となつている。複合機へ指示可能なだけでなく、実際に指示に沿って実行させるよう構成させてもい。また、複合機にログインしたら指示がなくても何かの処理、例えば自動的に自分宛のFAXを出力するようになっている場合は、アップロード中に処理を行うようにしてもよい。
【００４５】
図６は、ステップＳ２２において、第２のサーバへの認証が成功したと判定された場合のユーザインターフェイス２４の画面を示す。コピー、スキャナー等の通常の使用されるアイコン６６の他に、「歩数データ送信」アイコン６８及び「からだ診断録」アイコン７０が表示されるようになる。通常画像形成装置として使用されるアイコン６６を押下すればそれに対応する機能が実行可能となる。即ち、ステップＳ２４のアップロード処理はバックグランドでの処理であって、アップロード中であっても使用指示を受け付けるようになっている。
なお、データの取出し自体は数十秒で終わっても、データをサーバーに送信し送信確認をサーバーから受信し、データの消去を行うと数分かかってしまう場合がある。
なお、アイコン６８の名称は「歩数データ送信」となっているが、歩数は活動量計１２に記憶されているデータの代表例であって、その他のデータが含められて良い。
【００４６】
図７は、図４のステップＳ２４で示したアップロード処理の詳細を示す。
まずステップＳ２６において、活動量計１２から未送信過去データ数を取得する。ここで過去データとは、本日を除いて過去の日毎に記憶されたデータである。次のステップＳ２８においては、活動量計１２から過去データを取得する。次のステップＳ３０においては、過去データの取得が成功したか否かを判定する。このステップＳ３０において、過去データの取得が不成功であった場合は、ステップＳ３２に進み、ステップＳ３２においてエラー処理を実行して処理を終了する。
【００４７】
ステップＳ３０において、過去データの取得が成功したと判定された場合は、ステップＳ３４に進み、取得した過去データを第２のサーバ１６へ送信する。次のステップＳ３６においては、過去のデータ送信が成功したか否かを判定する。このステップＳ３６において、過去のデータ送信が不成功と判定された場合は、ステップＳ３２に進んでエラー処理がなされる。一方、ステップＳ３６において、過去のデータ送信が成功したと判定された場合は、ステップＳ３８に進む。ステップＳ３８においては、活動量計１２の過去データを未送信ステータスから送信済ステータスに変更する。次のステップＳ４０においては、過去データがあるか否か（全ての過去データが送信済ステータスであるか否か）を判定する。過去データが有る場合は、ステップＳ２８に戻り、活動量計１２から過去データを取得する。ステップＳ４０において、過去データが無いと判定された場合は次のステップＳ４２に進む。
【００４８】
ステップ４２においては、活動量計１２から本日のデータを取得し、次のステップＳ４４に進み。ステップＳ４４においては、本日のデータ取得が成功したか否かを判定する。ステップＳ４４において、本日のデータ取得が不成功と判定された場合は、ステップＳ４６に進み、エラー処理が実行される。一方、ステップＳ４４において、本日のデータ所得が成功したと判定された場合は、次のステップＳ４８に進む。ステップＳ４８においては、第２のサーバ１６へ本日のデータを送信し、次のステップＳ５０に進む。ステップＳ５０においては、第２のサーバ１６への送信が成功したか否かを判定する。ステップＳ５０において、送信が成功した場合は処理を終了し、送信が不成功の場合は、ステップＳ４６に進んでエラー処理を実行した上で処理を終了する。
なお、本日データに関しては、当日中まだデータが更新される可能性があるので、データは削除しない方が望ましい。一方、過去のデータをアップロードした場合は、アップロードした全ての過去のデータを記憶部５２から削除することが好ましい。
【００４９】
図８は、「歩数データ送信」アイコン６８を押下した場合、アップロード送信中に表示される画面の一例を示す。即ち、「データ送信中」である旨の表示と共に、「活動量計をカードリーダから外すとデータ送信を中止します。」との注意書きが表示される。また、送信済みのデータと残りのデータがどのくらいあるかを表示する。
【００５０】
図９は、図８の状態からデータ送信が終了した場合に表示される画面の一例を示す。「データ送信完了」との表示の他に、「からだ診断録のサイトボタンを押してあなたのからだのデータを確認しましょう。」との表示がなされると共に、からだ診断録のサイトへ移行するためのボタンが表示される。
なお、図９に示すアップロード完了画面は、図８に示すアップロード送信中を表示している状態から遷移した場合のみならず、どの画面を表示している場合であってもアップロードが完了した場合には必ず表示される。
【００５１】
図１０は、画像形成装置１０の制御装置３６の動作フローにあって、ＩＣカード３０をカードリーダ２８にかざした場合のフローチャートである。
【００５２】
ステップＳ５２において、ＩＣカード３０をカードリーダ２８にかざすと、次のステップＳ５４に進み、ＩＣカード３０のカードデータ（第３の認証用データ）を取得する。次のステップＳ５６においては、ステップＳ５４で取得したカードデータで認証を行う。次のステップＳ５８においては、認証が成功したか否かの判定を行う。認証が成功したか否かの判定は、第１のサーバ１４に記憶されているデータとカードデータとが一致すれば認証成功、一致していなければ不成功となる。ステップＳ５８において、認証が成功したと判定された場合は、ステップＳ６０に進み、画像形成装置１０のメニュー画面を表示し、処理を終了する。ステップＳ５８において、認証が不成功と判定された場合はスタートに戻る。
なお、カードデータによる認証は、画像形成装置１０の記憶部４４にデータを記憶させ、このデータとカードデータとが一致するか否かにより判定することもできる。
【００５３】
図１１は、ステップＳ５６で認証が成功した場合にユーザインターフェイス２４に表示されるメニュー画面である。このメニュー画面においては、通常画像形成装置として使用されるアイコン６６が表示される。前述した活動量計１２によりログインした図６の画面と比較すると、活動量計１２でログインした場合は、通常画像形成装置として使用されるアイコン６６に加えて「歩数データ送信」アイコン６８及び「からだ診断録」アイコンが表示される点が異なる。
ただし、ＩＣカード３０でログインして、第２認証が成功していない場合であっても図６と同じ表示とし、「歩数データ送信」及び「からだ診断録」の機能を使用する場合に活動量計１２をカードリーダ２８にかざすようにしても良い。その場合、活動量計を翳していない場合に、「歩数データ送信」及び「からだ診療録」を選択した場合は、活動量計をかざすよう促しても良い。
【００５４】
図１２は、画像形成装置１０の制御装置３６の動作フローにあって、活動量計１２又はＩＣカード３０をカードリーダ２８にかざした場合のフローチャートである。即ち、かざされたものが活動量計１２であるかＩＣカードかが不明の場合のフローチャートである。
【００５５】
まずステップＳ６２において、画像形成装置１０のカードリーダ２８に活動量計１２又はＩＣカード３０をかざすと、次のステップＳ６４において、認証用データを取得する。次のステップＳ６６においては、ステップＳ６４で取得した認証用データの先頭４バイトを確認する。次のステップＳ６８においては、予め定められている活動量計１２の先頭４バイトとステップＳ６６で確認した先頭４バイトとが一致するか否かを判定する。ステップＳ６８において、一致すると判定された場合は、ステップＳ７０に進み、活動量計１２として取得したＩＤｍで認証を行う。一方、ステップＳ６８において、一致しないと判定された場合は、ＩＣカード３０であろうと推定されるので、ステップＳ７２に進み、ＩＣカードとして認証処理を行う。
【００５６】
ステップＳ７０の処理を行った後はステップＳ７４に進み、認証が成功したか否かを判定する。ステップＳ７４で認証が不成功であると判定された場合はスタートに戻る。ステップＳ７４で認証が成功したと判定された場合は、ステップＳ７６に進み、図６に示したメニュー画面を表示し、次のステップＳ７８においては、前述したアップロード処理を実行し、処理を終了する。
【００５７】
なお、活動量計１２で認証された場合と、ＩＣカード３０で認証された場合とで、報知方式が異なるようにすることができる。例えば音の回数や周波数を変えたり、ユーザインターフェイス２４で表示する色を変えたりすることができる。
【００５８】
図１３は、画像形成装置１０にログインした後プリントまでの動作フローを示す第１例のフローチャートである。
ステップＳ８０において、ＩＣカード３０により画像形成装置１０にログインすると、図６に示すメニュー画面がユーザインターフェイス２４に表示される。ここで、次のステップＳ８２において、「歩数データ送信」のアイコン６８を押下すると、図１４に示す画面が表示される。即ち、例えば「活動量計をＩＣカードリーダーに置いてください。活動量計をＩＣカードリーダーに置いている間活動量計データを送信します。」との文章が表示される。
【００５９】
次のステップＳ８４において、活動量計１２をカードリーダ２８にかざすと、次のステップＳ８６に進み、前述したアップロード処理が行われる。アップロード処理中には、図８に示した画面が表示される。次のステップＳ８８において、アップロードが完了すると、図９に示した画面が表示される。次のステップＳ９０において、「からだ診断録のサイト」ボタン７２を押下すると、図１５に示す画面が表示されるように、例えば月ごとの歩数変動を示すグラフ等、第２のサーバ１６に送信したデータを第２のサーバ１６で加工したデータ（からだ診断録）の出力を実行させるためのアイコン７４が表示される。ここで、ステップＳ９２においてアイコン７２を押下してプリントしたいデータを選択すると、ステップＳ９４に進み、選択されたプリントのデータ画面をダウンロードし、次のステップＳ９６において、「プリント実行」等、プリント指示画面を表示し、次のステップＳ９８において、プリントを実行し、処理を終了する。
なお、からだ診療録のボタンを押した際に表示する画面は図１５の画面に限らない。例えば、からだ診療録の一部の情報を表示画面に表示させて、プリントアウト指示がされた場合には詳細情報を出力させても良い。プリントアウトされた紙と複合機の表示部ととでは一度に見れる情報量に差があるためである。例えば表示画面には目標の達成度合いを、過去１カ月の歩数と１か月間の歩数目標との差で表した数字を表示させて、プリントアウトしたものには、１カ月の日にち毎のグラフを乗せても良いし、表示画面の表示とプリントアウトされる紙とでは表示順序を変えてもよい。
【００６０】
図１６は、画像形成装置１０にログインした後プリントまでの動作フローを示す第２例のフローチャートである。
ステップＳ１００において、ＩＣカード３０により画像形成装置１０にログインすると、図６に示すメニュー画面がユーザインターフェイス２４に表示される。ここで、次のステップＳ１０２において、「からだ診断録」のアイコンを押下すると、図１７に示す画面が表示される。即ち、例えば「活動量計をＩＣカードリーダーに置いてください。」との文章が表示される。
【００６１】
次のステップＳ１０４において、活動量計１２をカードリーダ２８にかざすと、ステップＳ１０６〜Ｓ１１２に進み、前述したステップＳ９２〜Ｓ９８と同様に、プリントしたいデータ画面をプリントすることができる。
【００６２】
前述した第２のサーバ１６は、画像形成装置１０を介して活動量計１２からユーザのデータを蓄積し、蓄積されたユーザの「からだ診断録」を生成する。「からだ診断録」とは、活動量に関するデータをグラフ等により可視化したものである。第２のサーバ１６においては、「からだ診断録」にＵＲＬ（Uniform Resource Locator）を付してウェブ頁として記憶されている。
【００６３】
ステップＳ８８では、「からだ診断録」のＵＲＬを指定することによりステップＳ９０で「からだ診断録」の画像データがダウンロードされることになる。
【００６４】
なお、上記実施形態においては、「からだ診断録」をプリントする場合、画像形成装置１０にログイン後に活動量計１２をカードリーダ２８にかざして認証を得るようにしているが、ＩＣカード３０の認証用データと活動量計１２のシリアルＩＤとを関連付けて第１のサーバ１４に記憶させ、ＩＣカード３０で画像形成装置１０でログインした場合は、第１のサーバ１４から活動量計１２のシリアルＩＤを呼び出し、第２のサーバ１６に対する認証を得るようにしても良い。
また、同じユーザーが活動量計でもICカードでも複合機にログインできるようにする場合には、活動量計から読みだした第１の認証用データとICカードから読みだした第１の認証用データの内容が異なる場合には、それぞれの関連付けを行ってもよいし、関連付けはおこなわず、それぞれ第１のサーバーに登録しておくとよい。複合機にログインした後に、ユーザー毎の出力記録を付けたり、読み込んだデータを電子メールで自分のPCに送ったりする機能を使用する際には、どちらでログインしても同じ結果がほしいので、それぞれ登録しておくとよい。
また、活動量計から読みだした第１の認証用データとICカードから読みだした第１の認証用データを異ならせると、活動量計の判別が行い易い、異なるデータ構造をした複数種類の活動量計に対応し易くなるが、活動量計から読みだした第１の認証用データとICカードから読みだした第１の認証用データを同じにさせてもよい。その場合は、関連付けを行ったり、ひとりのユーザに複数の登録をしなくてもよくなる。
【００６５】
また、上記実施形態においては、第２のサーバ１６で加工されたデータを画像形成装置１０でプリントして出力しているが、本発明はこれに限定されず、例えばユーザインターフェイス２４に表示したり、他の装置、例えばパーソナルコンピュータに送信したりしても良い。
上記実施例での複合機を企業や自治体が管理してもよい。そのようにした場合は、個人の端末を利用して間接または直接的にネットワークにアクセスしなくてもよくなる。
また、活動量をアップロードして加工された情報を、個人のみが把握するのではなく、健康推進の一環として企業や自治体が把握できるように構成してもよい。
活動量計自体にネットワーク接続機能があったり、個人端末を介してネットワークに接続できるよう構成された活動量計もあるが、上記実施の形態でアップロードすればそれらの機能は活動量計自体には必須ではなくなる。
また、どの複合機から送信されたが分かるのように構成したり、セキュリティ上やサーバー付加上の対策を複合機の送受信機能に持たせても良い。
上記実施例では、活動量計でログインした場合にアップロードしつつも複合機の機能指示ができる例を示したが、それに限定されず活動量計でログインした場合とICカードでログインした場合とで複合機の機能指示ができる内容を変えても良い。
上記実施例では、第１のサーバ１４はＬＡＮ３２を介して画像形成装置１０と接続され、第２のサーバ１６はインターネット３４を介して画像形成装置１０と接続されている例を示したが、それに限定されない。例えば、第１のサーバ１４及び第２のサーバ１６の双方が、インターネット３４を介して画像形成装置１０と接続されていてもよい。また、第１のサーバ１４と第２のサーバ１６とが、別体のサーバとして構成されている例に限定されない。例えば、インターネット３４を介して画像形成装置１０と接続されている第２のサーバ１６が、上述した第１のサーバ１４の機能を搭載することによって、一体のサーバ筐体の内部で第１のサーバ１４及び第２のサーバ１６が実現されてもよい。
上記実施例では活動計で歩数のデータをアップロードする場合を説明したが、対象とする機器やアップロードされる情報はこれに限定されない。例えば血圧計で計測した血圧情報や体組成計で計測した体重や体脂肪率の情報等を直接または間接的に翳してアップロードしてもよく、それらの総合データで体カルテを作成してもよい。また電子手帳に記録されたスケジュールや電話機に記録された電話番号やICチップに記録された情報をアップロードしてもよい。
【符号の説明】
【００６６】
１０    画像形成装置
１２    活動量計
１４    第１のサーバ
１６    第２のサーバ
２０    画像形成部
２４    ユーザインターフェイス
２８    カードリーダ
３０    ＩＣカード
６８    「歩数データ送信」アイコン
７０    「からだ診断録」アイコン
【図１】
2017185797.tif 000003
【図２】
2017185797.tif 000004
【図３】
2017185797.tif 000005
【図４】
2017185797.tif 000006
【図５】
2017185797.tif 000007
【図６】
2017185797.tif 000008
【図７】
2017185797.tif 000009
【図８】
2017185797.tif 000010
【図９】
2017185797.tif 000011
【図１０】
2017185797.tif 000012
【図１１】
2017185797.tif 000013
【図１２】
2017185797.tif 000014
【図１３】
2017185797.tif 000015
【図１４】
2017185797.tif 000016
【図１５】
2017185797.tif 000017
【図１６】
2017185797.tif 000018
【図１７】
2017185797.tif 000019